(57)【特許請求の範囲】
【請求項１】
帯域外情報を使用してワイヤレスデバイスにおける通信設定を適合させるための方法であって、
前記ワイヤレスデバイスに含まれるカメラから画像データを受信することと、
前記ワイヤレスデバイスに含まれるマイクロホンから音声データを受信することと、
前記ワイヤレスデバイスで前記受信された画像データおよび前記受信された音声データを処理して、前記ワイヤレスデバイスの周りの環境に関連する環境パラメータを生成することであって、前記環境パラメータは、前記環境の指示を提供するカテゴリと、前記カテゴリによって示される前記環境のより詳細な指示を提供するサブカテゴリとを含む、ことと、
前記環境パラメータに少なくとも部分的に基づいて伝播チャネル特性を判定することと、
前記判定された伝播チャネル特性に応答して、前記伝播チャネル特性に少なくとも部分的に基づく、前記ワイヤレスデバイス内の物理層設定を調整することと、を含む方法。
【請求項２】
前記伝播チャネル特性が、前記伝播チャネルの時間変動性、前記伝播チャネルのドップラ周波数スペクトル、前記伝播チャネルの時間的自己相関、前記伝播チャネルの空間的自己相関、前記伝播チャネルの周波数自己相関、前記伝播チャネルのシャドーイング、前記伝播チャネルの多経路伝播現象、前記伝播チャネルの反射、前記伝播チャネルの屈折、前記伝播チャネルの回折、前記伝播チャネルの散漫散乱、角度における前記伝播チャネルの選択性、前記伝播チャネルの分極状況、前記伝播チャネルのフレーム長、記号長、または多経路重大度のうちの少なくとも１つを含む、請求項１に記載の方法。
【請求項３】
前記物理層設定が、ダイバーシティ方式選択パラメータ、信号対雑音比予測パラメータ、適応型変調パラメータ、データ転送速度適応パラメータ、到着の最適方向パラメータ、出発の最適方向パラメータ、ビーム形成パラメータ、ドップラ周波数設定、分極設定、またはチャネル状況情報フィードバック方式パラメータのうちの少なくとも１つを含む、請求項１に記載の方法。
【請求項４】
複数の命令を有するコンピュータプログラムであって、前記命令は実行されるとき、ワイヤレスデバイスに、
前記ワイヤレスデバイスに含まれるカメラから画像データを受信することと、
前記ワイヤレスデバイスに含まれるマイクロホンから音声データを受信することと、
前記受信された画像データおよび前記受信された音声データを処理して、前記ワイヤレスデバイスの周りの環境に関連する環境パラメータを生成することであって、前記環境パラメータは、前記環境の指示を提供するカテゴリと、前記カテゴリによって示される前記環境のより詳細な指示を提供するサブカテゴリとを含む、ことと、
前記環境パラメータに少なくとも部分的に基づいて、伝播チャネル特性を判定することと、
前記伝播チャネル特性に応答して、前記伝播チャネル特性に少なくとも部分的に基づく、前記ワイヤレスデバイスの物理層設定を生成することと、
によって、帯域外情報に基づいて前記ワイヤレスデバイスの通信設定を提供する、コンピュータプログラム。
【請求項５】
前記受信された画像データを処理することが、エッジを検出すること、前記エッジのエッジオリエンテーションおよび長さを判定すること、表面を検出すること、同一色の区域を判定すること、色の急激な変化を判定すること、人間の顔を検出すること、トラフィックレーンを検出すること、オブジェクトを検出すること、形状を認識すること、またはオブジェクトのモデルを作ることのうちの少なくとも１つによって、前記画像データを処理することを含む、請求項４に記載のコンピュータプログラム。
【請求項６】
前記受信された音声データを処理することが、オーディオトラックにおける共振検出またはオーディオエコー検出のうちの少なくとも１つによって前記音声データを処理することを含む、請求項４に記載のコンピュータプログラム。
【請求項７】
前記伝播チャネル特性が、前記伝播チャネルの時間変動性、前記伝播チャネルのドップラ周波数スペクトル、前記伝播チャネルの時間的自己相関、前記伝播チャネルの空間的自己相関、前記伝播チャネルの周波数自己相関、前記伝播チャネルのシャドーイング、前記伝播チャネルの多経路伝播現象、前記伝播チャネルの反射、前記伝播チャネルの屈折、前記伝播チャネルの回折、前記伝播チャネルの散漫散乱、角度における前記伝播チャネルの選択性、前記伝播チャネルの分極状況、前記伝播チャネルのフレーム長、記号長、または多経路重大度のうちの少なくとも１つを含む、請求項４に記載のコンピュータプログラム。
【請求項８】
前記物理層設定が、ダイバーシティ方式選択パラメータ、信号対雑音比予測パラメータ、適応型変調パラメータ、データ転送速度適応パラメータ、ビーム形成パラメータ、ドップラ周波数設定、分極設定、またはチャネル状況情報フィードバック方式パラメータのうちの少なくとも１つを含む、請求項４に記載のコンピュータプログラム。
【請求項９】
装置であって、
複数の命令が記憶された機械可読媒体であって、前記命令は実行されるとき、前記装置に、
ワイヤレスデバイスに含まれるカメラから画像データを受信することと、
前記ワイヤレスデバイスに含まれるマイクロホンから音声データを受信することと、
前記受信された画像データおよび前記受信された音声データを処理して、前記ワイヤレスデバイスの周りの環境に関連する環境パラメータを生成することであって、前記環境パラメータは、前記環境の指示を提供するカテゴリと、前記カテゴリによって示される前記環境のより詳細な指示を提供するサブカテゴリとを含む、ことと、
前記環境パラメータに少なくとも部分的に基づいて伝播チャネル特性を判定することと、
前記判定された伝播チャネル特性に応答して、前記伝播チャネル特性に少なくとも部分的に基づく、前記ワイヤレスデバイスの物理層設定を生成することと
によって、帯域外情報に基づいて前記ワイヤレスデバイスの通信設定を提供させる、機械可読媒体と、
前記複数の命令を実行するために前記機械可読媒体に結合された、プロセッサと、
を備える、装置。
【請求項１０】
前記受信された画像データを処理することが、エッジを検出すること、前記エッジのエッジオリエンテーションおよび長さを判定すること、表面を検出すること、表面の粗度を判定すること、同一色の区域を判定すること、色の急激な変化を判定すること、人間の顔を検出すること、トラフィックレーンを検出すること、オブジェクトを検出すること、形状を認識すること、またはオブジェクトのモデルを作ることのうちの少なくとも１つによって前記画像データを処理することを含む、請求項９に記載の装置。
【請求項１１】
前記受信された音声データを処理することが、オーディオトラックにおける共振検出またはオーディオエコー検出のうちの少なくとも１つによって前記音声データを処理することを含む、請求項９に記載の装置。
【請求項１２】
前記伝播チャネル特性が、前記伝播チャネルの時間変動性、前記伝播チャネルのドップラ周波数スペクトル、前記伝播チャネルの時間的自己相関、前記伝播チャネルの空間的自己相関、前記伝播チャネルの周波数自己相関、前記伝播チャネルのシャドーイング、前記伝播チャネルの多経路伝播現象、前記伝播チャネルの反射、前記伝播チャネルの屈折、前記伝播チャネルの回折、前記伝播チャネルの散漫散乱、角度における前記伝播チャネルの選択性、前記伝播チャネルの分極状況、前記伝播チャネルのフレーム長、記号長、または多経路重大度のうちの少なくとも１つを含む、請求項９に記載の装置。
【請求項１３】
前記物理層設定が、ダイバーシティ方式選択パラメータ、信号対雑音比予測パラメータ、適応型変調パラメータ、データ転送速度適応パラメータ、ビーム形成パラメータ、ドップラ周波数設定、分極設定、またはチャネル状況情報フィードバック方式パラメータのうちの少なくとも１つを含む、請求項９に記載の装置。
【発明の詳細な説明】
【背景技術】
【０００１】
本明細書において他に別段の指示のない限り、本項に記載される手法は、本願における特許請求の範囲の先行技術ではなく、本項に含まれることによって先行技術として認められることはない。
【０００２】
ワイヤレス通信では、伝送技法が、たとえば、多経路効果または複数ユーザ間の干渉による高速フェージングなど、通信の問題を克服するために使用される。そのような伝送技法を使用するために、ワイヤレスチャネルの特性を推定することが有用であり得る。通常は、帯域内感知技法（in-band sensing techniques）が、ワイヤレスチャネル特性を推定するために使用され得る。しかし、そのような帯域内技法は、大きな計算オーバーヘッド、ワイヤレスデバイスに追加される追加デバイス、および他の面倒な事柄を必要とすることがある。
【発明の概要】
【０００３】
いくつかの実装形態によれば、帯域外情報（out-band information）を使用してワイヤレスデバイスにおける通信設定を適合させるための方法は、ワイヤレスデバイスに含まれるセンサからデータを受信することと、データを処理してワイヤレスデバイスの周りの環境に関連する環境パラメータを生成することと、環境パラメータに基づいて伝播チャネル特性を判定することと、伝播チャネル特性に基づいてそのワイヤレスデバイスにおける物理層設定を調整することとを含み得る。
【０００４】
いくつかの実装形態によれば、帯域外情報を使用してワイヤレスデバイスにおける通信設定を適合させるための方法は、ワイヤレスデバイスに含まれるカメラから画像データを受信することと、ワイヤレスデバイスに含まれるマイクロホンから音声データを受信することと、画像および音声データを処理してワイヤレスデバイスの周りの環境に関連する環境パラメータを生成することと、環境パラメータに基づいて伝播チャネル特性を判定することと、伝播チャネル特性に基づいて、ワイヤレスデバイスにおける物理層設定を調整することとを含み得る。
【０００５】
いくつかの実装形態によれば、機械可読媒体は命令を含むことができ、命令は実行されるときに、ワイヤレスデバイスに含まれるセンサからデータを受信することと、データを処理してワイヤレスデバイスの周りの環境に関連する環境パラメータを生成することと、環境パラメータに基づいて伝播チャネル特性を判定することと、伝播チャネル特性に基づいて、ワイヤレスデバイスの物理層設定を生成することとによって、機械が、帯域外情報に基づいてワイヤレスデバイスの通信設定を提供するようにする。
【０００６】
いくつかの実装形態によれば、装置は、プロセッサと、命令が記憶された機械可読媒体とを含むことができ、命令は実行されるときに、ワイヤレスデバイスに含まれるセンサからデータを受信することと、データを処理してワイヤレスデバイスの周りの環境に関連する環境パラメータを生成することと、環境パラメータに基づいて伝播チャネル特性を判定することと、伝播チャネル特性に基づいて、ワイヤレスデバイスの物理層設定を生成することとによって、装置が、帯域外情報に基づいてワイヤレスデバイスの通信設定を提供するようにする。
【０００７】
前述の概要は、単に例示であり、いかなる方法でも限定を意図するものではあり得ない。前述の例示的態様、実施形態、および特徴に加えて、さらなる態様、実施形態、および特徴が、図面および以下の詳細な説明を参照することによって、明らかとなろう。
【０００８】
主題は、本明細書の結びの部分で具体的に指摘され、明確に特許請求される。本開示の前述のおよび他の特徴は、添付の図面と共に、以下の説明および添付の特許請求の範囲から完全に明らかとなろう。これらの図面は本開示によるいくつかの実施形態のみを示し、したがって、その範囲を限定するものとして考えられないことを理解し、本開示は、添付の図面の使用を介して、さらなる具体性および詳細と共に説明される。
【図面の簡単な説明】
【０００９】
【図１】本開示の少なくともいくつかの実施形態に従って配置される、ワイヤレスデバイスにおいて通信設定を適合させるための例示的方法の流れ図である。
【図２Ａ】本開示の少なくともいくつかの実施形態に従って配置される、例示的環境とその環境における例示的オブジェクト認識および予期される伝播経路を示す図である。
【図２Ｂ】本開示の少なくともいくつかの実施形態に従って配置される、例示的環境とその環境における例示的オブジェクト認識および予期される伝播経路を示す図である。
【図３Ａ】本開示の少なくともいくつかの実施形態に従って配置される、例示的環境とその環境における例示的オブジェクト認識および予期される伝播経路を示す図である。
【図３Ｂ】本開示の少なくともいくつかの実施形態に従って配置される、例示的環境とその環境における例示的オブジェクト認識および予期される伝播経路を示す図である。
【図４Ａ】本開示の少なくともいくつかの実施形態に従って配置される、例示的環境とその環境における例示的オブジェクト認識および予期される伝播経路を示す図である。
【図４Ｂ】本開示の少なくともいくつかの実施形態に従って配置される、例示的環境とその環境における例示的オブジェクト認識および予期される伝播経路を示す図である。
【図５】本開示の少なくともいくつかの実施形態に従って配置される、例示的コンピュータプログラム製品を示す図である。
【図６】本開示の少なくともいくつかの実施形態に従って配置される、例示的コンピューティングデバイスを示すブロック図である。
【発明を実施するための形態】
【００１０】
以下の説明は、特許請求される主題の完全な理解を提供するために、具体的な詳細と共にさまざまな例を明記する。しかし、特許請求される主題は、本明細書で開示される具体的な詳細の一部またはそれ以上を用いずに実施され得ることが、当業者には理解されよう。さらに、ある種の状況では、よく知られている方法、手順、システム、構成要素および／または回路は、特許請求される主題を不必要に分かり難くすることを避けるために、詳しくは記載されていない。
【００１１】
以下の詳細な説明では、本明細書の一部を形成する添付の図面が参照される。図面において、同様の記号は、文脈上別段の指示のない限り、通常は、同様の構成要素を識別する。詳細な説明、図面、および特許請求の範囲に記載される例示的実施形態は、限定を意味するものではない。本明細書で提示される主題の趣旨および範囲を逸脱することなしに、他の実施形態が使用可能であり、他の変更が行われ得る。概して本明細書に記載され、図に示されるものとしての本開示の態様は、非常にさまざまな異なる構成で配置、置換、結合、および設計可能であり、それらのすべては、明示的に意図されており、本開示の部分を形成することが、容易に理解されよう。
【００１２】
本開示は、とりわけ、帯域外情報を使用してワイヤレスデバイスにおける通信設定を適合させることに関連する方法、装置、システムおよびコンピュータ可読媒体に引用される。
【００１３】
さまざまな伝送技法が、ワイヤレス通信の問題を克服するために使用され得る。そのような技法を有利に実装するために、ワイヤレスデバイスによって使用されているワイヤレス通信チャネルの特性を推定することが有用であり得る。チャネル特性に基づいて、１つまたは複数の物理層設定がワイヤレスデバイス内で調整されて、通信を改良することができる。
【００１４】
いくつかの例で、帯域外情報は、ワイヤレスデバイスにおける設定を適合させるために使用され得る。いくつかの例で、データは、ワイヤレスデバイスに含まれるセンサで取得され得る。さまざまな例で、センサはカメラまたはマイクロホンでもよく、取得されるデータは、それぞれ、画像データまたは音声データでもよい。取得されたデータは、たとえば、ワイヤレスデバイスの処理部分でまたは遠隔コンピューティングデバイスで受信され得る。受信されたデータは、本明細書でさらに論じられるさまざまな技法を使用して処理されて、ワイヤレスデバイスの周りの環境の特徴を示し得るおよびそれに関連し得る環境パラメータまたはインディケータを生成することができる。環境パラメータまたはインディケータに少なくとも部分的に基づいて、ワイヤレスデバイスの伝播チャネル特性が、判定され得る。判定された伝播チャネル特性に応答して、ワイヤレスデバイスの物理層設定が判定可能であり、その設定がそのワイヤレスデバイスでアサートまたは実装され得る。前述のように、いくつかの例で、環境パラメータまたはインディケータ、チャネル特性、および物理層設定は、ワイヤレスデバイスで判定され得る。他の例では、それらのうちのいずれかは、遠隔コンピューティングデバイスで判定され、ワイヤレスデバイスに送信され得る。
【００１５】
図１は、ワイヤレスデバイス内の通信設定を適合させるための例示的方法１００の流れ図である。方法１００は、ブロック１１０、１２０、１３０、１４０および／または１５０のうちの１つまたは複数によって示すように、１つまたは複数の機能、動作、またはアクションを含み得る。いくつかの例で、方法１００は、たとえば、携帯電話など、ワイヤレスデバイスで実装され得る。方法１００のプロセスは、ブロック１１０で開始し得る。
【００１６】
ブロック１１０「ワイヤレスデバイス内のセンサを起動する」で、ワイヤレスデバイス内に提供されるセンサは、起動することができる。いくつかの例で、センサは、ワイヤレスデバイス内の通信設定を適合させるのに使用するための帯域外情報を取得または検出することができる。いくつかの例で、センサは、ワイヤレスデバイスに組み込まれたデバイスでもよい。いくつかの例で、センサは、カメラでもよい。いくつかの例で、センサは、ワイヤレスデバイスの裏に設置されたカメラでもよく、ユーザが電話をかけ、デバイスを保持するとき、カメラは、ワイヤレスデバイスの周りの環境と向き合い、環境にさらされ得る。いくつかの例で、センサは、マイクロホンでもよい。いくつかの例で、起動は、たとえば、ワイヤレス通信事象（すなわち、通話、メッセージの受信もしくは送信、ウェブブラウジング）などの基準に基づいて、または一定の時間間隔で、生じ得る。いくつかの例で、センサの起動は、ユーザのための即時の出力に関連しなくてもよい。たとえば、カメラが起動したとき、視覚的出力はユーザに提供されなくてもよい。本プロセスは、ブロック１２０で継続することができる。
【００１７】
ブロック１２０「センサからデータを受信する」で、センサからのデータが受信され得る。いくつかの例で、データは、ワイヤレスデバイスの処理部分で受信され得る。そのような処理部分は、論理もしくはマイクロプロセッサおよび／またはメモリを含み得る。いくつかの例で、ワイヤレス内のセンサで取得されたデータは、ワイヤレスデバイスから送信することができ、処理のために、たとえば、サーバまたはコンピュータなど、遠隔デバイスで受信することができる。受信されるデータは、たとえば、データファイル、データパケット、または同様のものなど、デバイスの処理部分によって認識可能な任意のフォーマットでもよい。いくつかの例で、デバイスはカメラでもよく、データは、１つのまたは一連の画像データを含み得る。いくつかの例で、デバイスはマイクロホンでもよく、データはオーディオデータを含み得る。本プロセスは、ブロック１３０で継続し得る。
【００１８】
ブロック１３０「受信されたデータを処理して環境パラメータを生成する」で、受信されたデータは、処理されて、ワイヤレスデバイスの周りの環境に関連する１つまたは複数の環境パラメータを生成することができる。いくつかの例で、カメラからの画像データが処理されて環境パラメータを提供することができる。いくつかの例で、マイクロホンからのオーディオデータが処理されて環境パラメータを提供することができる。いくつかの例で、カメラからの画像データおよびマイクロホンからのオーディオデータの両方が使用されて環境パラメータを提供することができる。前述のように、いくつかの例で、本処理は、ワイヤレスデバイスで実行され得る。他の例で、本処理は、遠隔デバイスで実行され得る。
【００１９】
さまざまな処理方法、環境パラメータおよび環境が使用可能であり得る。一般に、環境パラメータは、ワイヤレスデバイスの周りの環境に関連し得る、任意の１つもしくは複数のパラメータ、指示（indication）、または、特性を含み得る。いくつかの例で、環境パラメータは、環境内のオブジェクトの密度またはタイプの数値指示もしくはレーティングを含み得る。いくつかの例で、環境パラメータは、ワイヤレスデバイスの周りの環境のタイプのカテゴリ化を含み得る。さまざまな例で、環境パラメータは、たとえば、屋内指示、屋外指示、都市指示、郊外指示、田園指示、廊下指示、カフェテリア指示、密閉空間指示、静止指示、車両の動き指示、放浪指示、豊富な植物指示、オープンエリア指示またはクローズエリア指示のうちの１つなどの指示を含み得る。他のカテゴリおよび指示が、使用可能であり得る。
【００２０】
いくつかの例では、たとえば屋外、都市および屋内など、より少ないカテゴリが使用され得る。いくつかの例では、カテゴリおよびサブカテゴリが使用され得る。たとえば、環境パラメータは、屋内指示と、屋内指示のより詳しい記述として、廊下、カフェテリア、ホール、または囲まれた空間の指示のうちの１つを含み得る。カテゴリおよび指示のさまざまな組み合わせが、ワイヤレスデバイスの周りの環境の特性を示すために使用され得る。環境指示は、ワイヤレスデバイスの周りの環境のカテゴリに最も近似しているものに関連し得る。環境パラメータは、たとえば、データファイル、パケット、メッセージまたは同様のものへの符号化など、任意の適切な形で符号化され得る。以下にさらに論じるように、他の例では、環境パラメータは、ワイヤレスデバイスの周りの環境に関する詳細な情報を含み得る。本プロセスはブロック１４０で継続し得る。
【００２１】
ブロック１４０「伝播チャネル特性を判定する」で、伝播チャネル特性が、環境パラメータに少なくとも部分的に基づいて判定され得る。いくつかの例で、判定される伝播チャネル特性は、伝播チャネルのチャネル係数を含み得る。いくつかの例で、判定される伝播チャネル特性は、伝播チャネルのチャネル状況情報を含み得る。いくつかの例で、判定される伝播チャネル特性は、たとえば、伝播チャネルの時間変動性、その伝播チャネルのフェージング特性、伝播チャネルの電力遅延プロファイル、伝播チャネルのドップラ周波数スペクトル、伝播チャネルの時間的自己相関、伝播チャネルの空間的自己相関、伝播チャネルの周波数自己相関、伝播チャネルのコヒーレント距離、伝播チャネルのコヒーレント時間、伝播チャネルのコヒーレント周波数、伝播チャネルのランク情報、伝播チャネルのシャドーイング、伝播チャネルの多経路伝播現象、伝播チャネルの反射、伝播チャネルの屈折、伝播チャネルの回折、伝播チャネルの散漫散乱、角度（たとえば、方位角および仰角）における伝播チャネルの選択性、伝播チャネルの分極状況、伝播チャネルのフレーム長、記号長、多経路重大度（multipath severity）、または同様のものを含み得る。
【００２２】
いくつかの例で、判定される伝播チャネル特性は、環境パラメータに基づき得る。いくつかの例で、判定される伝播チャネル特性は、環境パラメータが使用されて参照用テーブル内で対応する特性を見つけることができるような参照用テーブルに基づいて判定され得る。いくつかの例で、特性は、１つまたは複数のアルゴリズムを使用して判定され得る。いくつかの例で、環境パラメータまたはオブジェクトは、光線追跡技法を使用し、チャネル特性を判定するために使用され得る。いくつかの例で、環境パラメータまたはオブジェクトは、シミュレーション技法を使用してそのチャネルの一般的プロファイルをシミュレートするために使用され得る。いくつかの例で、環境パラメータまたはオブジェクトは、光線発射技法を使用してチャネル特性を判定するために使用され得る。前述のように、いくつかの例で、本処理は、ワイヤレスデバイスで実行することができ、一方、他の例では、本処理は、遠隔デバイスで実行することができる。伝播チャネル特性は、たとえば、データファイル、パケット、メッセージまたは同様のものへの符号化などの任意の適切な形で符号化され得る。いくつかの例では、以下でさらに詳しく論じるように、さまざまな伝播チャネル特性が、判定され得る。本プロセスは、ブロック１５０で継続することができる。
【００２３】
ブロック１５０「ワイヤレスデバイス内の物理層設定を調整する」で、ワイヤレスデバイス内の物理層設定が、調整され得る。物理層設定は、さまざまな設定またはパラメータを含み得る。いくつかの例で、物理層設定は、たとえば、ダイバーシティ方式選択パラメータ、信号対雑音比予測パラメータ、適応型変調パラメータ、データ転送速度適応パラメータ、ドップラ周波数設定、分極設定、出発の方向適応パラメータ、到着の方向適応パラメータ、コヒーレント周波数適応パラメータ、コヒーレント距離適応パラメータ、コヒーレント時間適応パラメータ、または、チャネル状況情報フィードバック方式パラメータを含み得る。さまざまな物理層設定が、使用可能であり得る。いくつかの例で、環境パラメータ、伝播チャネルおよび物理層設定は、ワイヤレスデバイスで判定および実装され得る。他の例では、物理層設定がワイヤレスデバイスで最終的に適用または調整され得るように、環境パラメータ、伝播チャネル、または物理層設定のうちの１つまたは複数が、遠隔デバイスで判定され、ワイヤレスデバイスに送信され得る。
【００２４】
前述のように、ワイヤレスデバイス内のセンサは、ワイヤレスデバイス内の物理層設定を調整する際に使用するためのデータを取得するために使用され得る。いくつかの例で、センサはカメラでもよく、取得されるデータは、１つの画像を表し得る画像データまたは一連の画像を表し得る一連の画像データでもよい。いくつかの例で、画像データは、たとえば、エッジを検出すること、エッジのエッジオリエンテーションおよび長さを判定すること、表面を検出すること、同一色の区域を判定すること、色の急激な変化を判定すること、人間の顔を検出すること、人間の体を検出すること、トラフィックレーンを検出すること、オブジェクトを検出すること、形状を認識すること、オブジェクトのモデルを作ることなどによって、処理され得る。いくつかの例で、そのオブジェクト検出は、コンピュータ支援設計（ＣＡＤ）型オブジェクトモデリングを含み得る。画像データ処理は、図１に関して前述したように１つまたは複数の環境パラメータを判定するために使用され得る。
【００２５】
図２Ａおよび２Ｂは、例示的環境およびその環境における例示的オブジェクト認識の説明図である。図２Ａは、例示的環境２１０を示す。前述のように、ワイヤレスデバイス内のカメラは、ワイヤレスデバイスでの起動事象中に環境２１０を表す画像データを取得することができる。図２Ａの画像は、例示的であることを意図され、論じられる例では、取得された画像データは、ユーザに可視形態で表示されないことがある。画像データは、環境２１０においてオブジェクトを評価または識別するために処理され得る。たとえば、画像データは、エッジ検出技法、エッジオリエンテーション判定技法、表面検出技法、色評価技法、色の対比検出技法、オブジェクト検出、モデリング技法または本明細書で論じられる技法のいずれかを使用し、処理され得る。
【００２６】
図２Ｂは、環境２１０に基づくオブジェクト認識および予期される伝播経路の例の説明図である。図２Ｂに示すように、建物表面２２０、２３０および木２４０、２５０、２６０は、環境２１０に関連する画像データの処理に基づいて、認識され得る。図２Ｂに示す画像は、たとえば、データセットまたはデータファイルとして表され得る。その処理に基づくオブジェクトおよび情報は、図１に関して前述したように、環境２１０に関連する環境パラメータを判定するために使用され得る。いくつかの例で、環境２１０は、屋外環境であると判定されることがあり、そして、環境パラメータは屋外指示を含むことがある。いくつかの例で、環境パラメータは、枝葉の量または密度の指示を含み得る。いくつかの例で、環境パラメータは、木の位置および／または建物の位置などを含む屋外環境におけるオブジェクトの位置の詳細なマッピングを含み得る。
【００２７】
前述のように、処理されたデータは、伝播チャネル特性を判定するために使用され得る。図２Ａおよび２Ｂの例で、処理された画像データは、伝播チャネル特性を判定するために使用され得る。いくつかの例で、認識されたオブジェクト、およびそれらの関連する詳細（すなわち、サイズ、オリエンテーション、位置、粗度、および同様のもの）は、伝播チャネル特性を判定するために使用され得る。さまざまな例で、伝播チャネル特性は、たとえば、伝播チャネルのフェージング特性、伝播チャネルのドップラ周波数スペクトル、伝播チャネルの時間的自己相関、伝播チャネルの空間的自己相関、伝播チャネルの周波数自己相関、伝播チャネルのシャドーイング、伝播チャネルの多経路伝播現象（multi-path propagation phenomenon）、伝播チャネルの反射、伝播チャネルの屈折、伝播チャネルの回折、伝播チャネルの散漫散乱、伝播チャネルのフレーム長、記号長、多経路重大度、または同様のものを含み得る。
【００２８】
いくつかの例で、伝播チャネル特性は、チャネルプロファイルを含み得る。たとえば、図２Ｂの説明で、通常のチャネル経路分布は、たとえば、木２５０と建物表面２３０の間の位置２７０、木２４０と木２５０の間の位置２７２、木２６０のすぐ左で建物表面２４０の上の位置２７４、建物表面２３０に沿った位置２７６、および、建物表面２４０に沿った位置２７８で予期され得る。通常は、伝播経路は、たとえば、木２４０または木２５０を介してなど、いくつかの位置で予期され得ない。したがって、方位角および仰角の両方で、予測される伝播到着経路が、判定され得る。いくつかの例で、建物の検出されたエッジ、角、表面、または検出されたオブジェクトは、チャネルの合成の近似を提供することができる。いくつかの例で、エッジは、電磁波放射のソースでもよい。いくつかの例で、表面は、遅延、角度および分極の広がりを加えることによって、チャネルに影響を与えることができる。いくつかの例で、環境内のオブジェクトは、伝播チャネルの信号減衰および信号電力におけるフェージングをもたらし得る。そのような詳細が、１つまたは複数の環境パラメータから判定されて、伝播チャネルの特性を明らかにすることができる。
【００２９】
図１に関して論じたように、伝播チャネル特性は、ワイヤレスデバイス内の物理層設定を判定および調整するために使用され得る。図２に示す例示的環境に関連する例示的方法で、本方法は、モバイルデバイスを操作して電話をかけるユーザを含み得る。通話を開始したとき、モバイルデバイスに組み込まれたカメラが、起動され得る。起動されたカメラは、環境２１０を表す画像データを取得することができる。画像データは、センサから受信することができ、受信されたデータは、処理されて、たとえば、環境２１０は屋外環境である可能性があることを指示する１つまたは複数の環境パラメータを生成することができる。たとえば、本明細書で挙げられたもののいずれかなどの１つまたは複数の伝播チャネル特性が、１つまたは複数の環境パラメータに基づいて判定され得る。１つまたは複数の伝播チャネル特性は、ワイヤレスデバイス内の物理層設定を調整するために使用され得る。その結果、有利な伝送技法が、デバイスの周りの環境に基づいて、ワイヤレスデバイス内で使用され得る。
【００３０】
図３Ａおよび３Ｂは、例示的環境とその環境における例示的オブジェクト認識の説明図である。図３Ａは、例示的環境３１０を説明する。前述のように、ワイヤレスデバイス内のカメラは、ワイヤレスデバイスでの起動事象中に環境３１０を表す画像データを取得することができる。図３Ａの画像は例示を意図され、その論じられる例で、取得された画像データは、ユーザに可視形態で表示されないことがある。画像データは、環境３１０においてオブジェクトを評価または識別するために処理され得る。たとえば、画像データは、エッジ検出技法、エッジオリエンテーション判定技法、表面検出技法、表面粗度検出技法、色評価技法、色の対比検出技法、オブジェクト検出、モデリング技法または本明細書で論じられる技法のいずれかを使用し、処理され得る。
【００３１】
図３Ｂは、環境３１０に基づくオブジェクト認識および予期される伝播経路の例の説明図である。図３Ｂに示すように、表面３２０、３３０、３４０、クラッタ３７０およびエッジ３５０、３６０は、環境３１０に関連する画像データの処理に基づいて認識され得る。図３Ｂに示す画像は、たとえば、データセットまたはデータファイルとして表され得る。処理に基づくオブジェクトおよび情報は、図１に関して前述したように、環境３１０に関連する環境パラメータを判定するために使用され得る。いくつかの例で、環境３１０は屋内環境であると判定されることがあり、その環境パラメータは屋内指示を含み得る。いくつかの例で、環境パラメータは、屋内環境におけるオブジェクトの量または密度の指示を含み得る。いくつかの例で、屋内環境の詳細なマッピングは、オブジェクトタイプおよび位置、または同様のものを含む。
【００３２】
前述のように、処理されたデータは、伝播チャネル特性を判定するために使用され得る。図３Ａおよび３Ｂの例で、処理された画像データは、伝播チャネル特性を判定するために使用され得る。いくつかの例で、認識されたオブジェクト、およびそれらの関連する詳細（すなわち、サイズ、オリエンテーション、位置、および同様のもの）は、伝播チャネル特性を判定するために使用され得る。さまざまな例で、伝播チャネル特性は、たとえば、伝播チャネルのドップラ周波数スペクトル、伝播チャネルの時間的自己相関、伝播チャネルのシャドーイング、伝播チャネルの多経路伝播現象、伝播チャネルの反射、伝播チャネルの屈折、伝播チャネルの回折、伝播チャネルの散漫散乱、伝播チャネルのフレーム長、記号長、多経路重大度、または同様のものを含み得る。
【００３３】
いくつかの例で、伝播チャネル特性は、チャネルプロファイルを含み得る。たとえば、図３Ｂの説明で、チャネル経路分布は、たとえば、エッジ３５０、３６０の間の位置３８１、エッジ３６０と表面３２０の間の位置３８２、表面３２０にある位置３８３、表面３３０にある位置３８４、表面３４０にある位置３８５、および、クラッタ３７０にある位置３８６で予期され得る。その結果として、方位角および仰角の両方で、予測される伝播到着経路が、判定され得る。前述のように、建物の検出されたエッジ、角、表面、または検出されたオブジェクトは、チャネルの合成の近似を提供するために使用され得る。いくつかの例で、エッジは、電磁波放射のソースでもよい。いくつかの例で、表面は、遅延、角度および分極の広がりを加えることによって、チャネルに影響を与えることができる。いくつかの例で、環境内のオブジェクトは、伝播チャネルの信号減衰および信号電力におけるフェージングをもたらし得る。そのような詳細は、１つまたは複数の環境パラメータから判定されて伝播チャネルの特性を明らかにすることができる。
【００３４】
図１に関して論じたように、伝播チャネル特性は、ワイヤレスデバイス内の物理層設定を判定および調整するために使用され得る。図３Ａに示す例示的環境に関連する例示的方法で、本方法は、モバイルデバイスを操作して電話をかけるユーザを含み得る。通話を開始したとき、モバイルデバイスに組み込まれたカメラが起動され得る。起動されたカメラは、環境３１０を表す画像データを取得することができる。画像データは、センサから受信することができ、そして、受信されたデータは、処理されて、たとえば、環境３１０は屋内の囲まれた環境である可能性があることを指示する、１つまたは複数の環境パラメータを生成することができる。たとえば、本明細書で挙げられたもののいずれかなど、１つまたは複数の伝播チャネル特性が、１つまたは複数の環境パラメータに基づいて判定され得る。１つまたは複数の伝播チャネル特性は、ワイヤレスデバイス内の物理層設定を調整するために使用され得る。その結果として、有利な伝送技法が、デバイスの周りの環境に基づいてワイヤレスデバイス内で使用され得る。
【００３５】
図４Ａおよび４Ｂは、例示的環境およびその環境における例示的オブジェクト認識の説明図である。図４Ａは、例示的環境４１０を説明する。前述のように、ワイヤレスデバイス内のカメラは、ワイヤレスデバイスで起動事象中に環境４１０を表す画像データを取得することができる。図４Ａの画像は例示を意図され、論じられる例において、取得された画像データは、ユーザに可視形態で表示されないことがある。画像データは、環境４１０においてオブジェクトを評価または識別するために処理され得る。たとえば、画像データは、エッジ検出技法、エッジオリエンテーション判定技法、表面検出技法、表面粗度検出技法、色評価技法、色の対比検出技法、オブジェクト検出、モデリング技法または本明細書で論じられる技法のいずれかを使用し、処理され得る。
【００３６】
図４Ｂは、環境４１０に基づくオブジェクト認識の例の説明図である。図４Ｂに示すように、表面４２０、４３０、４４０、クラッタ４７０、エッジ４５０、４５４、４５８、木４８０、および顔４６０は、環境４１０に関連する画像データの処理に基づいて認識され得る。図４Ｂに示す画像は、たとえば、データセットまたはデータファイルとして表され得る。処理に基づくオブジェクトおよび情報は、図１に関して前述したように、環境４１０に関連する環境パラメータを判定するために使用され得る。いくつかの例で、環境４１０は、屋内廊下環境であると判定されることがあり、そして、環境パラメータは屋内廊下指示を含み得る。いくつかの例で、環境パラメータは、屋内廊下環境内のオブジェクトの量または密度の指示を含み得る。いくつかの例で、屋内廊下環境の詳細なマッピングは、オブジェクト位置、または同様のものを含む。
【００３７】
前述のように、処理されたデータは、伝播チャネル特性を判定するために使用され得る。図４Ａおよび４Ｂの例で、処理される画像データは、伝播チャネル特性を判定するために使用され得る。いくつかの例で、認識されるオブジェクト、およびそれらの関連する詳細（すなわち、サイズ、オリエンテーション、位置、および同様のもの）は、伝播チャネル特性を判定するために使用され得る。さまざまな例で、伝播チャネル特性は、たとえば、伝播チャネルのドップラ周波数スペクトル、伝播チャネルの時間的自己相関、伝播チャネルのシャドーイング、伝播チャネルの多経路伝播現象、伝播チャネルの反射、伝播チャネルの屈折、伝播チャネルの回折、伝播チャネルの散漫散乱、伝播チャネルのフレーム長、記号長、多経路重大度、または同様のものを含み得る。
【００３８】
いくつかの例で、伝播チャネル特性は、チャネルプロファイルを含み得る。たとえば、図４Ｂの説明で、通常のチャネル経路分布は、たとえば、表面４２０にある位置４９２、表面４３０にある位置４９４、表面４７０にある位置４９６、木４８０の周りの位置、および、エッジ４５０、４５４、４５８の間の位置で予期され得る。木４８０の周りおよびエッジ４５０、４５４、４５８の間の位置は、提示を明確にするために、示されていない。したがって、方位角および仰角の両方で、予測される伝播到着経路が判定され得る。いくつかの例で、建物の検出されたエッジ、角、表面、または検出されたオブジェクトは、チャネルの合成の近似を提供することができる。いくつかの例で、エッジは、電磁波放射のソースでもよい。いくつかの例で、表面は、遅延、角度および分極の広がりを加えることによって、チャネルに影響を与えることができる。いくつかの例で、環境内のオブジェクトは、伝播チャネルの信号減衰および信号電力におけるフェージングをもたらし得る。そのような詳細は、１つまたは複数の環境パラメータから判定されて、伝播チャネルの特性を明らかにすることができる。
【００３９】
図１に関して論じたように、伝播チャネル特性は、ワイヤレスデバイス内の物理層設定を判定および調整するために使用され得る。図４Ａに示す例示的環境に関連する例示的方法では、本方法は、モバイルデバイスを操作して電話をかけるユーザを含み得る。通話を開始したとき、モバイルデバイスに組み込まれたカメラが起動され得る。起動されたカメラは、環境４１０を表す画像データを取得することができる。画像データは、センサから受信することができ、そして、受信されたデータは、処理されて、たとえば、環境４１０が屋内廊下環境である可能性があることを指示する、１つまたは複数の環境パラメータを生成することができる。たとえば、本明細書で挙げられたもののいずれかなどの１つまたは複数の伝播チャネル特性は、１つまたは複数の環境パラメータに基づいて判定され得る。１つまたは複数の伝播チャネル特性は、ワイヤレスデバイス内の物理層設定を調整するために使用され得る。それによって、有利な伝送技法が、デバイスの周りの環境に基づいて、ワイヤレスデバイス内で使用され得る。
【００４０】
図２から４に関して論じたように、環境の詳細は、チャネル特性を判定するために使用され得る。いくつかの例で、環境パラメータを介して提供される環境内のオブジェクトは、光線追跡技法を使用し、チャネル特性にリンクされ得る。いくつかの例で、環境パラメータを介して提供される環境内のオブジェクトは、光線発射技法を使用し、チャネル特性にリンクされ得る。いくつかの例で、環境パラメータを介して提供される環境内のオブジェクトは、チャネルシミュレーション技法を使用し、チャネル特性にリンクされ得る。いくつかの例で、オブジェクトのサイズと共に、オブジェクトの動いている状況は、チャネルの時間可変性、チャネルのフェージング統計量、またはチャネルの時間的自己相関を判定するために使用することができるドップラ周波数スペクトルを再構成するまたは概算するために使用され得る。いくつかの例で、建物、木、または大きなオブジェクトは、モバイルデバイス内の電力割当て物理設定を調整するために使用することができる伝播チャネル内のシャドーイングの状況を判定するために使用され得る。いくつかの例で、環境の詳細は、所定のデータ転送速度で送信するために必要とされるアンテナの数を概算するために使用することができる、伝播チャネル内に存在する独立経路の数とチャネルの多入力多出力（ＭＩＭＯ）ランクとを概算するために使用され得る。
【００４１】
いくつかの例で、環境パラメータまたは詳細は、チャネル多経路の豊富度または品質を判定するために使用され得る。いくつかの例で、品質は、劣等インディケータ、中程度インディケータまたは優良インディケータなどのインディケータを使用し、定量化され得る。品質インディケータに応じて、物理設定が、モバイルデバイスに適用され得る。たとえば、廊下環境経路では、品質は、廊下の壁と、アンテナ間の無相関を必要とする物理設定とが原因でいくつかの伝搬経路が集中され得るとき、劣等として定義することができ、そして、ビーム形成技法が適用され得る。
【００４２】
いくつかの例で、チャネル特性は、チャネルインパルス応答の決定論的部分および無作為の部分を含むことができ、それら２つの比は、チャネルＫ因子が判定され得るように、チャネルが、見通し線のシナリオにあるかを判定するために使用され得る。Ｋ因子は、ワイヤレスデバイスのさまざまな物理層設定を判定するために使用することができる、チャネル内のビット誤り率を予測するために使用され得る。
【００４３】
前述のように、それらの環境パラメータのいずれかは、伝播チャネル特性を判定するために連動して使用することができる。やはり前述のように、それらのチャネル特性のいずれかは、ワイヤレスデバイスの物理層設定を判定するために連動して使用することができる。いくつかの例で、判定されたチャネル特性は、物理層設定を選択するために使用され得る。そのような例で、それらの特性は、適用される物理層設定を決定するために、互いに平衡を保たれ得る。
【００４４】
前述のように、いくつかの例で、１つまたは複数の環境パラメータは、処理されているカメラから受信された画像データに基づいて、判定され得る。いくつかの例で、画像データ処理は、段階に分けられ得る。たとえば、処理の第１の段階は、同一色および色の急激な変化を有する画像内の区域を判定することを含み得る。そのような処理は、エッジ位置およびオリエンテーションを判定することができる。そのような処理は、本論の環境パラメータ、チャネル特性、および物理層設定を判定するために使用され得る。そのような第１の段階の処理は、いくつかのアプリケーションについては十分であることがあり、または、それは、迅速に設定を判定するための第１のパスとして使用され得る。変更は、たとえば、第１の段階の処理に基づいて行うことができ、後から変更または洗練され得る。いくつかの例で、処理の第２の段階は、環境内のクラッターオブジェクト（clutter object）の判定を含み得る。本論の環境パラメータ、チャネル特性、および物理層設定は、第２の段階に基づいて判定されて、設定を洗練することができる。いくつかの例で、第３の段階は、建物、木および人間などの環境内のより詳細なオブジェクトを判定することを含み得る。本論の環境パラメータ、チャネル特性、および物理層設定は、第３の段階に基づいて判定されて、設定を洗練することができる。
【００４５】
前述のように、いくつかの例で、環境パラメータは、モバイルデバイスの動きを説明する指示を含み得る。いくつかの例で、動きは、移動しているモバイルデバイスを含み得る。いくつかの例で、動きは、モバイルデバイスが相対的に固定されている間に移動しているモバイルデバイスの周りのオブジェクトを含み得る。いくつかの例では、モバイルデバイスおよびその周囲のオブジェクトの両方が移動していることがある。一般に、環境パラメータは、たとえば、モバイルデバイス移動インディケータ、固定モバイルデバイス移動オブジェクトインディケータ、または移動モバイルデバイスおよび移動オブジェクトインディケータなど、どの状況にその動きが関連し得るかの近似の指示を含み得る。前述のように、環境パラメータは、伝播チャネル特性を判定するために使用され得る。例では、動きが環境パラメータ内に記載される場合、判定されるチャネル特性はチャネルフェージング率を含み得る。いくつかの例で、カメラで取得された一連の画像に基づくオブジェクトおよびモバイルデバイスの動きの記録は、チャネルフェージング特性における傾向を予測するために使用され得る。
【００４６】
前述のように、ワイヤレスデバイス内のセンサは、ワイヤレスデバイス内の物理層設定を調整する際に使用するためのデータを取得するために使用され得る。いくつかの例で、センサはマイクロホンでもよく、取得されるデータは、録音を表し得るオーディオデータでもよい。いくつかの例で、記録されたオーディオは、ユーザの声、環境において反射によって生成されたそのユーザの声の共振、または、環境からの直接の音声を含み得る。図１に関して論じたように、取得されるデータは、受信および処理されて、環境パラメータを判定することができる。いくつかの例で、オーディオデータ処理は、共振検出を含み得る。一般に、オーディオ共振検出は、ある一定の周波数で振動するそのオーディオデータの傾向を判定するためにオーディオデータを分析することを含み得る。一般に、本明細書で論じられる環境パラメータのいずれかは、そのような技法を使用し、判定され得る。いくつかの例で、ある一定の周波数でのオーディオ共振検出は、モバイルデバイスが屋内環境にあることと関連し得る。
【００４７】
いくつかの例で、オーディオデータ処理は、オーディオエコー検出を含み得る。一般に、オーディオエコー検出は、たとえば、オーディオデータを分析して、ある特定の周波数がオブジェクトまたは表面からモバイルデバイスに反射して戻された可能性があることを判定することを含み得る。一般に、本明細書で論じられる環境パラメータのいずれかは、そのような技法を使用し、判定され得る。いくつかの例で、オーディオエコー検出は、モバイルデバイスの近くにある壁に関連することがあり、判定される環境パラメータは、屋内指示を含み得る。いくつかの例で、オーディオエコー検出は、山またはプライバシーフェンスなどの硬い屋外の表面に関連することがあり、判定される環境パラメータは、屋外指示を含み得る。いくつかの例で、オーディオエコー検出は、関連する環境パラメータを判定するためのエコーの強度の評価を含み得る。
【００４８】
前述のように、いくつかの例で、センサはカメラを含むことがあり、そして、環境パラメータ、伝播チャネル特性およびワイヤレスデバイスの物理層設定を判定するために処理されるデータは、１つの画像データまたは一連の画像データを含み得る。いくつかの例で、センサはマイクロホンを含むことがあり、そして、データはオーディオデータを含み得る。いくつかの例で、カメラおよびマイクロホンの両方が共に使用されて、環境パラメータ、伝播チャネル特性および物理層を判定することができる。画像データおよび音声データの両方が受信および処理されて、本明細書で論じるように環境パラメータを生成することができる。伝播チャネル特性は、環境パラメータに基づいて判定することができ、ワイヤレスデバイス内の物理層設定は、伝播チャネル特性に基づいて調整することができる。いくつかの例で、カメラおよびマイクロホンは、同時に使用することができる。他の例では、カメラは、画像データを取得するために使用することができ、マイクロホンは、データがワイヤレスデバイスの周りの同じまたは同様の環境を表し得るように、異なるが同じような時間にオーディオデータを取得するために使用され得る。
【００４９】
前述のように、いくつかの例で、帯域外情報は、ワイヤレスデバイス内の通信設定を適合させるために使用され得る。いくつかの例で、たとえば、本明細書で図１に関して論じた情報など、帯域外情報は、通信設定を適合させるために、帯域内情報および対応する技法と使用され得る。いくつかの例で、帯域内技法は、帯域内チャネル感知およびチャネル推定、複合チャネル係数を判定すること、チャネル状況情報を判定すること、遅延タップを判定すること、周波数応答を判定すること、出発の最適方向を判定すること、到着の最適方向を判定すること、または同様のものを含み得る。いくつかの例で、それらの技法のうちの１つまたは複数は、たとえば、伝播チャネル特性を判定するために、またはワイヤレスデバイス内の物理層設定を判定および調整するために、本明細書で論じられる帯域外技法と共に使用され得る。いくつかの例で、帯域内技法は物理層内に実装することができ、帯域内および帯域外設定の実装は、ワイヤレスデバイスの物理層内に実装され得る。
【００５０】
前述のように、いくつかの例で、センサ起動は、ワイヤレス通信事象でまたは一定の時間間隔で生じ得る。一般に、センサ起動は、有用な環境情報が取得され得るような任意の時間または事象で生じ得る。いくつかの例で、その起動は、モバイルデバイスの開始で生じ得る。いくつかの例で、その起動は、モバイルデバイスのユーザの指令で生じ得る。いくつかの例で、その起動は、ワイヤレスデバイスがセルラ局の間で切り替えられるときに生じ得る。
【００５１】
前述のように、ワイヤレスデバイス内のセンサは、処理されて、モバイルデバイスの周りの環境を表し得るパラメータを生成することができる。環境パラメータは、伝播チャネル特性を判定するために使用され得る。いくつかの例で、特性は、モバイルデバイス内の物理層設定を調整するために使用され得る。他の例で、特性は、モバイルデバイスに関連する基地局で物理層設定を調整するために使用され得る。前述のように、ワイヤレスデバイス内のセンサで取得されるデータの処理は、ワイヤレスデバイスでまたは遠隔サーバもしくはコンピュータで処理され得る。いくつかの例で、センサで取得されるデータまたはデータの部分は、遠隔サーバまたはコンピュータに送信され得る。遠隔サーバまたはコンピュータは、受信されたデータを処理して、モバイルデバイスの周りの環境を表し得るパラメータを判定し、本明細書で論じられる技法のいずれかを使用して伝播チャネル特性を判定することができる。いくつかの例では、チャネル特性に基づいて、サーバまたはコンピュータは、基地局の物理層設定を判定することができる。それらの設定は、実装のために基地局に送信され得る。他の例では、サーバまたはコンピュータは、モバイルデバイスの物理層設定を判定することができる。それらの設定は、実装のためにワイヤレスデバイスに送信され得る。
【００５２】
図５は、本開示の少なくともいくつかの実施形態に従って配置された例示的コンピュータプログラム製品５００を示す。コンピュータプログラム製品５００は、信号担持媒体５０２を含み得る。信号担持媒体５０２は、１つまたは複数のプロセッサによって実行されるときに本明細書に記載の機能をコンピューティングデバイスが動作可能なように提供できるようにする１つまたは複数の機械可読命令５０４を含み得る。さまざまな例で、機械可読命令のうちのいくつかまたはすべては、本明細書で論じられるデバイスによって使用され得る。
【００５３】
いくつかの実装形態で、信号担持媒体５０２は、ハードディスクドライブ、コンパクトディスク（ＣＤ）、デジタル多用途ディスク（ＤＶＤ）、デジタルテープ、メモリなどの、但しこれらに限定されない、コンピュータ可読媒体５０５を包含し得る。いくつかの実装形態で、信号担持媒体５０２は、メモリ、読み書き（Ｒ／Ｗ）ＣＤ、Ｒ／Ｗ  ＤＶＤなどの、但しこれらに限定されない、記録可能媒体５０８を包含し得る。いくつかの実装形態で、信号担持媒体５０２は、デジタルおよび／またはアナログ通信媒体（たとえば、光ファイバケーブル、導波管、ワイヤード通信リンク、ワイヤレス通信リンクなど）などの、但しこれらに限定されない、通信媒体５１０を包含し得る。いくつかの例で、信号担持媒体５０２は、非一時的機械可読媒体を包含し得る。
【００５４】
図６は、本開示の少なくともいくつかの実施形態に従って配置された例示的コンピューティングデバイス６００のブロック図である。さまざまな例で、コンピューティングデバイス６００は、本明細書で論じる動作を提供するように構成され得る。一例では、図６に関して論じられるデバイスは、コンピューティングデバイス６００の一部として提供され得る。１つの例示的基本構成６０１では、コンピューティングデバイス６００は、１つまたは複数のプロセッサ６１０、および、システムメモリ６２０を含み得る。メモリバス６３０は、プロセッサ６１０とシステムメモリ６２０の間で通信するために使用され得る。
【００５５】
所望の構成に応じて、プロセッサ６１０は、マイクロプロセッサ（μＰ）、マイクロコントローラ（μＣ）、デジタル信号プロセッサ（ＤＳＰ）、またはそれらの任意の組み合わせを含むがこれらに限定されない、任意のタイプでもよい。プロセッサ６１０は、レベル１キャッシュ６１１およびレベル２キャッシュ６１２、プロセッサコア６１３、およびレジスタ６１４などの１つまたは複数のレベルのキャッシングを含み得る。プロセッサコア６１３は、算術論理演算ユニット（ＡＬＵ）、浮動小数点演算ユニット（ＦＰＵ）、デジタル信号処理コア（ＤＳＰコア）、またはそれらの任意の組み合わせを含み得る。メモリコントローラ６１５はまた、プロセッサ６１０と使用することができ、または、いくつかの実装形態で、メモリコントローラ６１５は、プロセッサ６１０の内部部分でもよい。
【００５６】
所望の構成に応じて、システムメモリ６２０は、揮発性メモリ（ＲＡＭなど）、非揮発性メモリ（ＲＯＭ、フラッシュメモリなど）、またはそれらの任意の組み合わせを含むがこれらに限定されない、任意のタイプでもよい。システムメモリ６２０は、オペレーティングシステム６２１、１つまたは複数のアプリケーション６２２、およびプログラムデータ６２４を含み得る。アプリケーション６２２は、本明細書に記載の機能的ブロック、アクション、および／または動作を含む、本明細書に記載するような機能、アクション、および／または動作を実行するように配置可能なチャネル特性化アプリケーション６２３を含み得る。プログラムデータ６２４は、プロセスユニット制御アプリケーション６２３と使用するためのプロセスユニットデータ６２５を含み得る。いくつかの実施形態で、アプリケーション６２２は、オペレーティングシステム６２１上でプログラムデータ６２４と動作するように配置され得る。この記載された基本構成は、破線６１０内のそれらの構成要素によって、図６に示される。
【００５７】
コンピューティングデバイス６００は、追加の特徴または機能性、および、基本構成６０１と任意の必要なデバイスおよびインターフェースの間の通信を円滑に進めるための追加のインターフェースを有し得る。たとえば、バス／インターフェースコントローラ６４０が、ストレージインターフェースバス６４１を介する基本構成６０１と１つまたは複数のデータ記憶装置６５０の間の通信を円滑に進めるために使用され得る。データ記憶装置６５０は、取外し式ストレージデバイス６５１、非取外し式ストレージデバイス６５２、またはそれらの組み合わせでもよい。取外し式ストレージおよび非取外し式ストレージデバイスの例は、いくつか例を挙げると、フレキシブルディスクドライブおよびハードディスクドライブ（ＨＤＤ）などの磁気ディスクデバイス、コンパクトディスク（ＣＤ）ドライブまたはデジタル多用途ディスク（ＤＶＤ）ドライブなどの光ディスクドライブ、ソリッドステートドライブ（ＳＳＤ）、および、テープドライブを含む。例示的コンピュータストレージ媒体は、コンピュータ可読命令、データ構造、プログラムモジュール、または他のデータなど、情報の記憶のための任意の方法または技術で実装される、揮発性および非揮発性、取外し式および非取外し式媒体を含み得る。
【００５８】
システムメモリ６２０、取外し式ストレージ６５１および非取外し式ストレージ６５２はすべてコンピュータストレージ媒体の例である。コンピュータストレージ媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ストレージ、磁気カセット、磁気テープ、磁気ディスクストレージまたは他の磁気ストレージデバイス、あるいは、所望の情報を記憶するために使用可能なおよびコンピューティングデバイス６００によってアクセス可能な任意の他の媒体を含むがこれらに限定されない。任意のそのようなコンピュータストレージ媒体は、デバイス６００の部分でもよい。
【００５９】
コンピューティングデバイス６００はまた、バス／インターフェースコントローラ６４０を介するさまざまなインターフェースデバイス（たとえば、出力インターフェース、周辺インターフェース、および通信インターフェース）から基本構成６０１への通信を円滑に進めるためのインターフェースバス６４２を含み得る。例示的出力インターフェース６６０は、１つまたは複数のＡ／Ｖポート６６３を介してディスプレイまたはスピーカなどのさまざまな外部デバイスに通信するように構成され得る、グラフィック処理ユニット６６１およびオーディオ処理ユニット６６２を含み得る。例示的周辺インターフェース６８０は、１つまたは複数のＩ／Ｏポート６８３を介して入力デバイス（たとえば、キーボード、マウス、ペン、音声入力デバイス、タッチ入力デバイスなど）または他の周辺デバイス（たとえば、プリンタ、スキャナなど）などの外部デバイスと通信するように構成可能な、シリアルインターフェースコントローラ６８１またはパラレルインターフェースコントローラ６８２を含み得る。例示的通信インターフェース６８０は、１つまたは複数の通信ポート６８２を介するネットワーク通信を介する１つまたは複数のその他のコンピューティングデバイス６８３との通信を円滑に進めるように配置可能な、ネットワークコントローラ６８１を含む。通信接続は、通信媒体の一例である。通信媒体は、通常は、コンピュータ可読命令、データ構造、プログラムモジュール、または、搬送波もしくは他の移送機構などの変調されたデータ信号内の他のデータによって実施することができ、任意の情報配信媒体を含み得る。「変調されたデータ信号」は、その特性集合のうちの１つまたは複数を有する信号でもよく、その信号内で情報を符号化するなどの形で変更され得る。例として、但し限定ではなく、通信媒体は、ワイヤードネットワークまたは直接ワイヤード接続などのワイヤード媒体と、音波、無線周波数（ＲＦ）、赤外線（ＩＲ）および他のワイヤレス媒体などのワイヤレス媒体とを含み得る。本明細書では、コンピュータ可読媒体という用語は、ストレージ媒体および通信媒体の両方を含み得る。
【００６０】
コンピューティングデバイス６００は、携帯電話、パーソナルデータアシスタント（ＰＤＡ）、パーソナルメディアプレーヤデバイス、ワイヤレスウェブウォッチデバイス、パーソナルヘッドセットデバイス、特定応用デバイス、または、前述の機能のいずれかを含むハイブリッドデバイスなどのスモールフォームファクタの携帯（またはモバイル）電子デバイスの一部として実装され得る。コンピューティングデバイス６００はまた、ラップトップコンピュータおよび非ラップトップコンピュータ構成の両方を含むパーソナルコンピュータとして実装され得る。加えて、コンピューティングデバイス６００は、ワイヤレス基地局または他のワイヤレスシステムもしくはデバイスの部分として実装され得る。
【００６１】
前述の詳細な説明のいくらかの部分は、コンピュータメモリなどのコンピューティングシステムメモリ内に記憶されたデータビットまたは２値デジタル信号上の動作のアルゴリズムまたは記号表現に関して提示される。これらのアルゴリズムの記述または表現は、データ処理技術分野の当業者によって他の当業者に彼らの仕事の要旨を伝えるために使用される技法の例である。アルゴリズムは、本明細書では、そして一般に、所望の結果につながる動作または同様の処理の自己矛盾のない順番列であると考えられる。この文脈において、動作または処理は、物理量の物理的操作を含む。必ずではないが、通常は、そのような量は、記憶、転送、結合、比較、または他の方法で操作可能な電気または磁気信号の形を取り得る。主に共通使用の理由で、ビット、データ、値、要素、記号、文字、用語、数、数字などの信号を参照することが時に便利であることが証明されている。しかし、これらのおよび同様の用語のすべては、適切な物理量と関連付けられることになるものであり、単に便利なラベルであることを理解されたい。具体的に別段の定めのない限り、以下の考察から明らかなように、本明細書をとおして、「処理」、「コンピューティング」、「計算」、「判定」などの用語を使用する考察は、メモリ、レジスタ、または、コンピューティングデバイスの他の情報ストレージデバイス、伝送デバイス、もしくは表示デバイス内の物理電子または磁気量として表されるデータを操作または変形する、コンピューティングデバイスのアクションまたはプロセスを示すことが理解されよう。
【００６２】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。いくつかの実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フレキシブルディスク、ハードディスクドライブ（ＨＤＤ）、コンパクトディスク（ＣＤ）、デジタル多用途ディスク（ＤＶＤ）、デジタルテープ、コンピュータメモリ、などの記録可能なタイプの媒体、ならびに、デジタル通信媒体および／またはアナログ通信媒体（たとえば、光ファイバケーブル、導波管、有線通信リンク、無線通信リンクなど）の通信タイプの媒体が含まれるが、それらには限定されない。
【００６３】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００６４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００６５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む発明に限定する、ということを示唆していると解釈されるべきではない（たとえば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、など���有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００６６】
ある特定の例示的技法が、さまざまな方法およびシステムを使用して、本明細書に記載され、示されるが、特許請求される主題を逸脱することなしに、さまざまな他の修正を行うことができ、同等のものが代用され得ることが、当業者には理解されたい。加えて、本明細書に記載の主要な概念を逸脱することなしに、特許請求される主題の教示に個々の状況を適合させるために、多数の修正が行われ得る。したがって、特許請求される主題は開示される特定の例に限定されないものとし、そのような特許請求される主題は、添付の特許請求の範囲内のすべての実装形態、およびその同等のものもまた含み得る。
【図２Ａ】
0006002157.tif 000002
【図２Ｂ】
0006002157.tif 000003
【図３Ａ】
0006002157.tif 000004
【図３Ｂ】
0006002157.tif 000005
【図４Ａ】
0006002157.tif 000006
【図４Ｂ】
0006002157.tif 000007
【図６】
0006002157.tif 000008
【図１】
0006002157.tif 000009
【図５】
0006002157.tif 000010